(57)【要約】【課題】、瞬時的にピーク電力が上がる確率を減らして信号品質の劣化を緩和することができるアダプティブアレーを用いたＯＦＤＭ通信方式の通信システム、基地局、端末及び通信方法を得る。【解決手段】通信網側のデータとユーザ割り当て帯域を所定のフォーマットで取得し、前記データを符号化して前記ユーザ割り当て帯域に対してマッピングを行うデータ作成手段１１と、前記ユーザ割り当て帯域に対してデータ数が少ない場合は、データの無い領域をヌルシンボルで埋めるヌルシンボル挿入手段１２，２８と、前記ユーザ割り当て帯域全体に対するシンボルインターリーブと前記ユーザ割り当て帯域の所定のシンボル位置に対する既知のシンボルの挿入とを行うシンボルインターリーブ手段１３，２９と、を備える。【選択図】図１
2008160569.tif 000002
【特許請求の範囲】
【請求項１】
通信網側のデータとユーザ割り当て帯域を所定のフォーマットで取得し、前記データを符号化して前記ユーザ割り当て帯域に対してマッピングを行うデータ作成手段と、
前記ユーザ割り当て帯域に対してデータ数が少ない場合は、データの無い領域をヌルシンボルで埋めるヌルシンボル挿入手段と、
前記ユーザ割り当て帯域全体に対するシンボルインターリーブと前記ユーザ割り当て帯域の所定のシンボル位置に対する既知のシンボルの挿入とを行うシンボルインターリーブ手段と、
を備えることを特徴とするＯＦＤＭ方式の通信システム。
【請求項２】
ＯＦＤＭ方式の通信を行う基地局であって、
受信した信号及び／又は送信する信号を処理する信号処理部を備え、
前記信号処理部は、各ユーザ毎の処理を行う受信側ユーザドメイン処理部及び／又は送信側ユーザドメイン処理部を含んで構成され、
前記受信側ユーザドメイン処理部は、
パイロットシンボルから伝搬路補正を行い、トレーニング信号から受信ウェイトを計算する受信ウェイト演算部と、
ユーザ割り当て帯域のデシンボルインターリーブを行うデシンボルインターリーブ部と、
デシンボルインターリーブされたユーザ割り当て帯域のヌルシンボルを削除し、データシンボルを抽出するヌルシンボル削除部と、を備えることを特徴とする基地局。
【請求項３】
前記送信側ユーザドメイン処理部は、
データを符号化してユーザ割り当て帯域に対してマッピングを行うデータ作成部と、
前記ユーザ割り当て帯域に対してデータ数が少ない場合は、データの無い領域をヌルシンボルで埋めるヌルシンボル挿入部と、
前記ユーザ割り当て帯域全体に対するシンボルインターリーブと前記ユーザ割り当て帯域の所定のシンボル位置に対する既知のシンボルの挿入とを行うシンボルインターリーブ部と、を備えることを特徴とする請求項２に記載の基地局。
【請求項４】
ＯＦＤＭ方式の通信を行う端末であって、
受信した信号及び／又は送信する信号を処理する信号処理部を備え、
前記信号処理部は、
データを符号化してユーザ割り当て帯域に対してマッピングを行うデータ作成部と、
前記ユーザ割り当て帯域に対してデータ数が少ない場合は、データの無い領域をヌルシンボルで埋めるヌルシンボル挿入部と、
前記ユーザ割り当て帯域全体に対するシンボルインターリーブと前記ユーザ割り当て帯域の所定のシンボル位置に対する既知のシンボルの挿入とを行うシンボルインターリーブ部と、を備えることを特徴とする端末。
【請求項５】
ＯＦＤＭ方式の通信を行う端末であって、
受信した信号及び／又は送信する信号を処理する信号処理部を備え、
前記信号処理部は、
ユーザ割り当て帯域のデシンボルインターリーブを行うデシンボルインターリーブ部と、
デシンボルインターリーブされたユーザ割り当て帯域のヌルシンボルを削除するヌルシンボル削除部と、を備えることを特徴とする端末。
【請求項６】
通信網側のデータとユーザ割り当て帯域を所定のフォーマットで取得し、前記データを符号化して前記ユーザ割り当て帯域に対してマッピングを行うステップと、
前記ユーザ割り当て帯域に対してデータ数が少ない場合は、データの無い領域をヌルシンボルで埋めるステップと、
前記ユーザ割り当て帯域全体でシンボルインターリーブを行い、前記ユーザ割り当て帯域の所定のシンボル位置に、既知のシンボルを挿入するステップと、
を含むことを特徴とするＯＦＤＭ方式の通信方法。
【発明の詳細な説明】
【技術分野】
【０００１】
本発明は、ＯＦＤＭ方式の通信システム、基地局、端末及び通信方法に関する。
【背景技術】
【０００２】
デジタル携帯電話システムやＰＨＳシステムなどの無線アクセス方式として、ＴＤＭＡ（Time Division Multiple Access：時分割多元接続）とＴＤＤ(Time Division Duplex：時分割双方向伝送)を組み合わせたＴＤＭＡ／ＴＤＤ方式が採用されている。さらに、これに加えて、ＯＦＤＭ（Orthogonal Frequency Division Multiplexing 直交周波数分割多重）の技術を利用した通信方式であるＯＦＤＭＡ（OFDM Access：直交周波数分割多重接続）方式が提案されている。
【０００３】
ＯＦＤＭ方式は、データを変調する搬送波を、互いに直交した複数の「サブキャリア」（細分化された搬送波）に分割し、データ信号をそれぞれのサブキャリアに分散させ、このサブキャリアの中から複数のサブキャリアを集めてグループ化し、各グループを各ユーザに１つ又は複数割り当てて多重通信を行う方式である。上記各グループはそれぞれサブチャネルと呼ばれる。つまり、各ユーザは割り当てられた１つ又は複数のサブチャネルを用いて通信を行うものである。また、サブチャネルは通信を行うデータ量や伝播環境等に応じて適応的に増減して割り当てられる。
【０００４】
また、他の基地局における交信の影響を抑制して、良好な通信品質を維持するために、基地局から端末への下り信号の送信時や、基地局が端末からの下り信号の受信時に、指向性を有する送受信を行うため、アダプティブアレーを使用したアダプティブアレー技術がある。
【０００５】
アダプティブアレーによる信号処理は、端末から送信されるトレーニング信号やパイロット信号と呼ばれる既知の信号を受信し、基地局のアンテナごとの受信係数（ウェイトベクトル或いはウェイト）を算出する。ウェイトベクトル（受信ウェイトベクトル）を計算して適応制御することによって、つまり、受信ウェイトベクトルの各要素を複数のアンテナの受信信号にそれぞれ乗算することで、所望の端末からの信号を正確に抽出する。
この処理により、各端末のアンテナからの上り信号は、基地局のアダプティブアレイアンテナによって受信され、受信指向性を伴って分離抽出される。
【０００６】
さらに、受信ウェイトベクトルに基づいて算出された送信ウェイトベクトルの各要素を送信信号に乗算した信号を複数のアンテナのそれぞれから出力することで、基地局から端末への下り信号は、端末のアンテナに対する送信指向性を伴って送信される（特許文献１参照）。
【特許文献１】特開２００３−２８３４１１
【発明の開示】
【発明が解決しようとする課題】
【０００７】
ＯＦＤＭ方式の通信システムにおいて従来のアダプティブアレー技術を使用して、例えば基地局の上り信号などの受信信号により算出した受信ウェイトに基づき下りの送信ウェイトを生成する場合、端末は上り信号に端末ユーザが利用するアプリケーションなどの通信データが無い場合もアイドルバーストとして何がしかのデータ或いは既知の信号を送信して、基地局にて受信ウェイトを計算できるようにする必要がある。この場合、これまでのトレーニングシンボルやパイロットをそのまま用いると、上り信号は通信フレームなどの一部のタイミングのタイミングでＯＦＤＭシンボルの振幅成分が大きくなり、瞬時的にピーク電力が高くなる可能性があり、ＰＡＰＲ（Peak to Average Power Ratio：ピーク電力対平均電力比）の増大から生じる増幅器の負荷やＡＧＣ（Automatic Gain Control）の動作遅延などから起こる過飽和などにより、ＯＦＤＭシンボルの品質が劣化してしまう問題がある。このため、ハードウェアの設計は非常に困難である。
【０００８】
本発明は、上記の問題点を解決するためになされたものであり、瞬時的にピーク電力が上がる確率を減らして信号品質の劣化を緩和することができるＯＦＤＭ通信方式の通信システム、基地局、端末及び通信方法を得ることを目的とする。
【課題を解決するための手段】
【０００９】
前記課題を解決するために、本発明に係るＯＦＤＭ方式の通信システムは、通信網側のデータとユーザ割り当て帯域を所定のフォーマットで取得し、前記データを符号化して前記ユーザ割り当て帯域に対してマッピングを行うデータ作成手段と、前記ユーザ割り当て帯域に対してデータ数が少ない場合は、データの無い領域をヌルシンボルで埋めるヌルシンボル挿入手段と、前記ユーザ割り当て帯域全体に対するシンボルインターリーブと前記ユーザ割り当て帯域の所定のシンボル位置に対する既知のシンボルの挿入とを行うシンボルインターリーブ手段と、を備えることを特徴とする。
上記構成により、アダプティブアレーのウェイト演算や同期に必要なトレーニングシンボルなどの既知のシンボル以外の利用されていないデータ部分をヌルシンボルで埋め、ユーザシンボル全体でシンボルインターリーブを行うことにより、ＯＦＤＭ合成信号の波数を減らすことができるので、瞬時的にピーク電力が上がる確率を減らして信号品質の劣化を緩和することができる。
【００１０】
また、本発明に係る基地局は、ＯＦＤＭ方式の通信を行う基地局であって、受信した信号及び／又は送信する信号を処理する信号処理部を備え、前記信号処理部は、各ユーザ毎の処理を行う受信側ユーザドメイン処理部及び／又は送信側ユーザドメイン処理部を含んで構成され、前記受信側ユーザドメイン処理部は、パイロットシンボルから伝搬路補正を行い、トレーニング信号から受信ウェイトを計算する受信ウェイト演算部と、ユーザ割り当て帯域のデシンボルインターリーブを行うデシンボルインターリーブ部と、デシンボルインターリーブされたユーザ割り当て帯域のヌルシンボルを削除し、データシンボルを抽出するヌルシンボル削除部と、を備えることを特徴とする。
上記基地局の構成によれば、アップリンク時に、デシンボルインターリーブによって、ユーザユーザ割り当て帯域のヌルシンボルを削除し、データシンボルを抽出することができる。
【００１１】
さらに、上記基地局は、前記送信側ユーザドメイン処理部は、データを符号化してユーザ割り当て帯域に対してマッピングを行うデータ作成部と、前記ユーザ割り当て帯域に対してデータ数が少ない場合は、データの無い領域をヌルシンボルで埋めるヌルシンボル挿入部と、前記ユーザ割り当て帯域全体に対するシンボルインターリーブと前記ユーザ割り当て帯域の所定のシンボル位置に対する既知のシンボルの挿入とを行うシンボルインターリーブ部と、を備えることを特徴とする。
上記基地局の構成によれば、ダウンリンク時に、アダプティブアレーのウェイト演算や同期に必要なトレーニングシンボルなどの既知のシンボル以外の利用されていないデータ部分をヌルシンボルで埋め、ユーザシンボル全体でシンボルインターリーブを行うことにより、ＯＦＤＭ合成信号の波数を減らすことができるので、瞬時的にピーク電力が上がる確率を減らして信号品質の劣化を緩和することができる。
【００１２】
また、本発明に係る端末は、ＯＦＤＭ方式の通信を行う端末であって、受信した信号及び／又は送信する信号を処理する信号処理部を備え、前記信号処理部は、データを符号化してユーザ割り当て帯域に対してマッピングを行うデータ作成部と、前記ユーザ割り当て帯域に対してデータ数が少ない場合は、データの無い領域をヌルシンボルで埋めるヌルシンボル挿入部と、前記ユーザ割り当て帯域全体に対するシンボルインターリーブと前記ユーザ割り当て帯域の所定のシンボル位置に対する既知のシンボルの挿入とを行うシンボルインターリーブ部と、を備えることを特徴とする。
上記端末の構成によれば、アップリンク時に、アダプティブアレーのウェイト演算や同期に必要なトレーニングシンボルなどの既知のシンボル以外の利用されていないデータ部分をヌルシンボルで埋め、ユーザシンボル全体でシンボルインターリーブを行うことにより、ＯＦＤＭ合成信号の波数を減らすことができるので、瞬時的にピーク電力が上がる確率を減らして信号品質の劣化を緩和することができる。
【００１３】
また、本発明に係る端末は、ＯＦＤＭ方式の通信を行う端末であって、受信した信号及び／又は送信する信号を処理する信号処理部を備え、前記信号処理部は、ユーザ割り当て帯域のデシンボルインターリーブを行うデシンボルインターリーブ部と、デシンボルインターリーブされたユーザ割り当て帯域のヌルシンボルを削除するヌルシンボル削除部と、を備えることを特徴とする。
上記端末の構成によれば、ダウンリンク時に、デシンボルインターリーブによって、ユーザユーザ割り当て帯域のヌルシンボルを削除し、データシンボルを抽出することができる。
【００１４】
また、本発明に係るＯＦＤＭ方式の通信方法は、通信網側のデータとユーザ割り当て帯域を所定のフォーマットで取得し、前記データを符号化して前記ユーザ割り当て帯域に対してマッピングを行うステップと、前記ユーザ割り当て帯域に対してデータ数が少ない場合は、データの無い領域をヌルシンボルで埋めるステップと、前記ユーザ割り当て帯域全体でシンボルインターリーブを行い、前記ユーザ割り当て帯域の所定のシンボル位置に、既知のシンボルを挿入するステップと、を含むことを特徴とする。
上記通信方法により、アダプティブアレーのウェイト演算や同期に必要なトレーニングシンボルなどの既知のシンボル以外の利用されていないデータ部分をヌルシンボルで埋め、ユーザシンボル全体でシンボルインターリーブを行うことにより、ＯＦＤＭ合成信号の波数を減らすことができるので、瞬時的にピーク電力が上がる確率を減らして信号品質の劣化を緩和することができる。
【発明の効果】
【００１５】
本発明によれば、瞬時的にピーク電力が上がる確率を減らして信号品質の劣化を緩和することができるＯＦＤＭ通信方式の通信システム、基地局、端末及び通信方法を提供することができる。
【発明を実施するための最良の形態】
【００１６】
以下、本発明に係る通信システムの実施の形態について、図面を参照して詳細に説明する。
図１は本発明の実施の形態に係る基地局の機能ブロック図であり、図２は端末の機能ブロック図である。
【００１７】
まず、本発明の実施の形態に係る基地局の機能構成について説明する。
本実施の形態の基地局１０は、無線部（PA/RF部/IF部/BB部）１と、受信した信号及び送信する信号を処理する信号処理部２とで構成されている。
【００１８】
信号処理部２は、ＦＦＴ部３、受信側ユーザドメイン処理部４、送信側ユーザドメイン処理部９、ＩＦＦＴ部１５、アンテナ合成部１６を備えている。
【００１９】
受信側ユーザドメイン処理部４は、受信ウェイト演算部５、デシンボルインターリーブ部６、ヌルシンボル削除部７、データ復調部８を備えている。
【００２０】
送信側ユーザドメイン処理部９は、データ作成部１１、ヌルシンボル挿入部１２、シンボルインターリーブ部１３、送信ウェイト演算部１４を備えている。
【００２１】
次に、本発明の実施の形態に係る端末の機能構成について説明する。
本実施の形態の端末２０は、無線部２１（PA/RF部/IF部/BB部）と、受信した信号及び送信する信号を処理する信号処理部２２で構成されている。
【００２２】
信号処理部２２は、ＦＦＴ部２３、デシンボルインターリーブ部２４、ヌルシンボル削除部２５、データ復調部２６、データ作成部２７、ヌルシンボル挿入部２８、シンボルインターリーブ部２９、ＩＦＦＴ部３０を備えている。
【００２３】
次に、本実施の形態に係る通信システムにおける基地局１０の通信方法を説明する。
最初に、図３を参照して受信処理を説明する。図３は、本実施の形態の基地局の受信処理を説明するフローチャートである。
【００２４】
本実施の形態の基地局１０の受信処理は、アンテナから信号を受信し（ステップＳ１）、無線部１を経て、ＦＦＴ部３にてＦＦＴ演算処理を行い、ユーザ信号及びキャリア毎の信号に分離する（ステップＳ２）。
【００２５】
分離された各ユーザ信号は、各ユーザ毎の処理を行う受信側ユーザドメイン処理部４に送られる。変数Ｙに、上記のユーザ信号数を代入し（Ｙ＝ユーザ数：ステップＳ３）、ユーザ信号に対するサブチャネル毎の処理として、受信ウェイト演算部５において、パイロットシンボルから伝搬路補正を行い（ステップＳ４）、トレーニング信号から受信ウェイトを計算する（ステップＳ５）。
【００２６】
次に、デシンボルインターリーブ部６において、ユーザ割り当て帯域のデシンボルインターリーブを行い、ヌルシンボル削除部７にてヌルシンボルを削除し、データシンボルを抽出する（ステップＳ６）。
【００２７】
そして、上位プロトコルからデータと割り当てユーザ帯域を取得する（ステップＳ７）。
また、データ復調部８にてデータシンボルを復調し、データシンボルの誤り訂正を行い、ビット列を取り出し、上位プロトコルにビット列を渡す（ステップＳ８）。そして、変数Ｙの値がＹ＝１か否かを判定し（ステップＳ９、Ｙ＝１でない場合（ステップＳ９のＮＯ）は、Ｙ＝Ｙ−１（ステップＳ１０）として、ステップＳ４から次のユーザの処理を行う。Ｙ＝１である場合（ステップＳ９のＹＥＳ）は、全てのユーザ信号に対する処理が終わったので処理を終了する。
【００２８】
次に、図４を参照して送信処理を説明する。図４は、本実施の形態の基地局の送信処理を説明するフローチャートである。
本実施の形態の基地局１０の送信処理は、まず、変数Ｙに、ユーザ信号数を代入し（Ｙ＝ユーザ数：ステップＳ１１）、各ユーザ毎の処理を行う送信側ユーザドメイン処理部９の送信ウェイト演算部１４にて、受信ウェイトからサブチャネル毎の送信ウェイトを計算する（ステップＳ１２）。
【００２９】
また、送信側ユーザドメイン処理部９は、上位プロトコルから、通信網側のデータとユーザ割り当てサブチャネル（ユーザ割り当て帯域）を所定のフォーマットで取得する（ステップＳ１３）。ここで、サブチャネルはユーザのデータ通信を行う最小のシンボルブロックである。
【００３０】
次に、データ作成部１１は、前記データを符号化してユーザ割り当てサブチャネルに対してマッピングを行う。そして、ヌルシンボル挿入部１２は、割り当てられたサブチャネルに対してデータ数が少ない場合は、データの無い領域をヌルシンボルで埋めるようにする（ステップＳ１４）。
【００３１】
その後、シンボルインターリーブ部１３は、ユーザ割り当て帯域全体でシンボルインターリーブを行い（ステップＳ１５）、ユーザ割り当て帯域の決められたシンボル位置に、既知のトレーニングシンボルとパイロットシンボルを挿入する（ステップＳ１６）。
なお、シンボルインターリーブ部１３は、ユーザ割り当て帯域の所定のシンボル位置に、既知のトレーニングシンボルとパイロットシンボルを挿入してから、ユーザ割り当て帯域全体でシンボルインターリーブを行うようにしても良い。
【００３２】
そして、変数Ｙの値がＹ＝１か否かを判定し（ステップＳ１７、Ｙ＝１でない場合（ステップＳ１７のＮＯ）は、Ｙ＝Ｙ−１（ステップＳ１８）として、ステップＳ１２から次のユーザの処理を行う。
【００３３】
Ｙ＝１である場合（ステップＳ１７のＹＥＳ）は、送信側ユーザドメイン処理部９は、各ユーザ分のデータを作成し、ＩＦＦＴ部１５がＩＦＦＴ演算処理を行う（ステップＳ１９）。
そして、アンテナ合成部１６は、各サブチャネルの送信ウェイトとデータを畳込み、重み付けし、１系統の送信信号にする（ステップＳ２０）。
上記送信信号は、無線部１を経てアンテナから送信される（ステップＳ２１）。
【００３４】
次に、本実施の形態に係る通信システムにおける端末２０の通信方法を説明する。
まず、図５を参照して受信処理を説明する。図５は、本実施の形態の端末の受信処理を説明するフローチャートである。
【００３５】
本実施の形態の端末２０の受信処理は、アンテナから信号を受信し（ステップＳ２２）、無線部２１を経て、ＦＦＴ部２３にてＦＦＴ演算処理を行い、サブキャリア毎の信号に分離する（ステップＳ２３）。
【００３６】
信号処理部２２では、ＦＦＴ部２３から送られたサブキャリア毎の信号のパイロットシンボルから伝搬路補正を行う（ステップＳ２４）。
【００３７】
次に、デシンボルインターリーブ部６においてユーザ割り当て帯域のデシンボルインターリーブを行い、ヌルシンボル削除部７においてヌルシンボルを削除する（ステップＳ２５）。
【００３８】
そして、上位プロトコルからデータと割り当てユーザ帯域を取得する（ステップＳ２６）。
また、データ復調部８にてデータシンボルを復調し、データシンボルの誤り訂正を行い、ビット列を取り出し、上位プロトコルにビット列を渡す（ステップＳ２７）。
【００３９】
次に、図６を参照して送信処理を説明する。図６は、本実施の形態の端末の送信処理を説明するフローチャートである。
本実施の形態の端末２０の送信処理は、上位プロトコルから、通信網側のデータとユーザ割り当てサブチャネル（ユーザ帯域）を所定のフォーマットで取得する（ステップＳ３１）。ここで、サブチャネルはユーザのデータ通信を行う最小のシンボルブロックである。
【００４０】
次に、データ作成部３１は、データを符号化してマッピングを行う。ヌルシンボル挿入部２８は、帯域割り当てに対してデータのサブチャネル数が少ない場合は、データの無い領域にヌルシンボルを埋めるようにする（ステップＳ３２）。
【００４１】
その後、シンボルインターリーブ部２９は、ユーザ割り当て帯域全体でシンボルインターリーブを行う（ステップＳ３３）。ユーザ割り当て帯域の決められたシンボル位置に、既知のトレーニングシンボルとパイロットシンボルを挿入する（ステップＳ３４）。
なお、シンボルインターリーブ部２９は、ユーザ割り当て帯域の所定のシンボル位置に、既知のトレーニングシンボルとパイロットシンボルを挿入してから、ユーザ割り当て帯域全体でシンボルインターリーブを行うようにしても良い。
【００４２】
次に、ＩＦＦＴ部３０がＩＦＦＴ演算処理を行い（ステップＳ３５）、無線部２１を経てアンテナから送信する（ステップＳ３６）。
【００４３】
上述の本実施の形態に係る通信システムにおける基地局１０及び端末２０の通信方法で述べたユーザ割り当てサブチャネルにシンボルを挿入する方法の一例を図７を参照して説明する。
【００４４】
図７（ａ）に示すようなユーザデータを上位プロトコルから受け取ってから符号化し変調することでデータシンボルが得られる。
【００４５】
次に、ユーザ割り当てサブチャネル数と上位プロトコルからのデータのサブチャネル数の差分の分（図７（ｂ）参照）だけヌルシンボルで埋める。
【００４６】
次に、図７（ｃ）に示すように、シンボルインターリーブを行う。そして、図７（ｄ）に示すように、シンボルインターリーブ後のデータをユーザの割り当てサブチャネルに割り振る帯域のサブチャネルに埋めていく。
【００４７】
なお、デシンボルインターリーブを行う場合は、上記とは逆の順序で、ユーザ割り当て帯域のデシンボルインターリーブを行い、ヌルシンボルを削除し、データシンボルを抽出する。
【００４８】
なお、上述の本実施の形態に係る通信システムの基地局１０及び端末２０の通信方法におけるシンボルインターリーブの一例を図８に示す。図８に示す例は、読み出しシンボルを所定のブロック区画の横に読み出し（リード）、縦方向にシンボルを書く（ライト）方式のシンボルインターリーブである。
【００４９】
図９、図１０はＯＦＤＭの波数の違いによるピーク成分を図示した波形図であり、図９はサブキャリアが１波の合成波形の例、図１０は１０波の合成波形の例である。
ＯＦＤＭ方式の通信方法では、ＯＦＤＭ合成信号の波数が多くなるほど、当然、合成信号の波形のピーク振幅は図１０に示すように大きくなる。
【００５０】
本実施の形態に係る通信システムにおける基地局１０及び端末２０の通信方法によれば、アダプティブアレーのウェイト演算や同期に必要なトレーニングシンボル以外のデータ部分をヌルシンボルで埋め、ユーザシンボル全体でシンボルインターリーブを行うことにより、ＯＦＤＭ合成信号において、例えば、ヌルシンボルを入れない場合に１４波となるとき、ヌルシンボルを入れることにより波数を７波程度に減らすことができるので、瞬時的にピーク電力が上がる確率を減らして信号品質の劣化を緩和することができる。
【図面の簡単な説明】
【００５１】
【図１】本発明の実施の形態に係る基地局の機能ブロック図である。
【図２】本発明の実施の形態に係る端末の機能ブロック図である。
【図３】本発明の実施の形態に係る基地局の受信処理を説明するフローチャートである。
【図４】本発明の実施の形態に係る基地局の送信処理を説明するフローチャートである。
【図５】本発明の実施の形態に係る端末の受信処理を説明するフローチャートである。
【図６】本発明の実施の形態に係る端末の送信処理を説明するフローチャートである。
【図７】本発明の実施の形態に係る通信システムにおけるユーザ割り当てサブチャネルにシンボルを挿入する方法の一例を説明する図である。
【図８】本発明の実施の形態に係る通信システムの基地局及び端末の通信方法におけるシンボルインターリーブの一例を説明する図である。
【図９】ＯＦＤＭの波数の違いによるピーク成分を図示した波形図（サブキャリアが１波の合成波形）である。
【図１０】ＯＦＤＭの波数の違いによるピーク成分を図示した波形図（サブキャリアが１０波の合成波形）である。
【符号の説明】
【００５２】
１、２１  無線部（PA/RF部/IF部/BB部）
２、２２  信号処理部
３、２３  ＦＦＴ部、
４  受信側ユーザドメイン処理部
５  受信ウェイト演算部
６、２４  デシンボルインターリーブ部
７、２５  ヌルシンボル削除部
８、２６  データ復調部
９  送信側ユーザドメイン処理部
１０  基地局
１１  データ作成部（データ作成手段）
１２、２８  ヌルシンボル挿入部（ヌルシンボル挿入手段）
１３、２９  シンボルインターリーブ部（シンボルインターリーブ手段）
１４  送信ウェイト演算部
１５、３０  ＩＦＦＴ部
１６  アンテナ合成部
２０  端末
【図１】
2008160569.tif 000003
【図２】
2008160569.tif 000004
【図３】
2008160569.tif 000005
【図４】
2008160569.tif 000006
【図５】
2008160569.tif 000007
【図６】
2008160569.tif 000008
【図７】
2008160569.tif 000009
【図８】
2008160569.tif 000010
【図９】
2008160569.tif 000011
【図１０】
2008160569.tif 000012